(57)【要約】【課題】患者や患者の家族などに対して、患者の患者情報を適切に削除して欲しいという要望に応えることができる医用情報処理装置を提供する。【解決手段】本実施形態に係る消去証明書発行装置１００は、患者に関する患者情報の消去の依頼を受け付ける消去依頼受付部１１０と、受け付けた消去の依頼に対応する患者情報が記憶されている外部装置の記憶部を検索する患者情報検索部１２０と、患者情報の検索結果に基づいて、記憶部に登録されている患者情報を消去して、その患者情報をその記憶部から仮消去したことを示す仮消去の情報を登録する仮消去登録部１３０と、登録された仮消去の情報に対して、その患者情報がその記憶部から消去されたことを示す承認を受け付ける消去承認受付部１４０と、承認を受け付けた仮消去の情報に対して、その患者情報がその記憶部から正式に消去されたことを示す消去の情報を生成する消去情報生成部１５０と、を備える。【選択図】  図３
2014106783.tif 000002
【特許請求の範囲】
【請求項１】
患者に関する患者情報の消去の依頼を受け付ける消去依頼受付部と、
前記受け付けた消去の依頼に対応する患者情報が記憶されている外部装置の記憶部を検索する患者情報検索部と、
前記患者情報の検索結果に基づいて、受け付けた患者情報が前記記憶部に登録されていたときには、その記憶部に登録されている患者情報を消去して、その患者情報をその記憶部から仮消去したことを示す仮消去の情報を登録する仮消去登録部と、
前記登録された仮消去の情報に対して、その患者情報がその記憶部から消去されたことを示す承認を受け付ける消去承認受付部と、
前記承認を受け付けた仮消去の情報に対して、その患者情報がその記憶部から正式に消去されたことを示す消去の情報を生成する消去情報生成部と、
を備える医用情報処理装置。
【請求項２】
前記生成された消去の情報を表示可能に出力する消去情報出力部をさらに備え、
前記消去情報生成部は、
前記消去依頼受付部において患者情報の消去の依頼を受け付けてその患者情報に関連付けられた前記消去の情報が生成されたとき、生成されたその消去の情報を前記消去情報出力部に出力させる
請求項１に記載の医用情報処理装置。
【請求項３】
前記患者情報が外部装置に出力されたときは、その患者情報がその外部装置に出力されたことを示す履歴情報を格納する履歴情報格納部をさらに備え、
前記患者情報検索部は、
前記受け付けた消去の依頼に対応する患者情報を前記履歴情報格納部から検索し、その患者情報に対応する履歴情報が検索された場合には、その履歴情報を前記消去情報出力部に出力させる
請求項２に記載の医用情報処理装置。
【請求項４】
前記消去承認受付部は、
複数の異なる承認を受け付ける
請求項１から３のいずれか１項に記載の医用情報処理装置。
【請求項５】
前記患者情報は、
少なくとも当該患者の氏名、性別、年齢を含む情報である
請求項１から４のいずれか１項に記載の医用情報処理装置。
【発明の詳細な説明】
【技術分野】
【０００１】
本発明の実施形態は、医用情報処理装置に関する。
【背景技術】
【０００２】
近年、個人情報の電子化が進むとともに情報通信が発達したことによって、パーソナルコンピュータ（情報処理装置）に格納された個人情報が、インターネットのネットワークなどを介して外部に情報漏洩する問題が生じている。
【０００３】
特に、個人の機密に関する個人情報が情報漏洩することは、個人のプライバシーの保護を図ることができなくなり、第三者からの危険にさらされることになりかねない。
【０００４】
一方、病院や検査機関などにおいても病院の根幹を担う病院情報システム（ＨＩＳ：Hospital Information System）が構築され、オーダリングシステムを軸として、電子カルテやレセプト・コンピュータが構成されている。また、病院によっては、病院情報システムは、医用画像管理システム（ＰＡＣＳ：Picture Archiving Communication System）や放射線科情報システム（ＲＩＳ：Radiology Information System）と、連携するようにシステムが構築されている。
【０００５】
ここで、例えば、患者の識別情報を基に、患者の主治医や患者を担当する担当科の情報を含むカルテ情報を記録するともに、複数の医師のスケジュールを記憶して、医師に対して、優先度をつけて診察要求を通知する医用情報管理装置が開示されている（特許文献１参照）。
【先行技術文献】
【特許文献】
【０００６】
【特許文献１】特開２０１０−１１７９６９号公報
【発明の概要】
【発明が解決しようとする課題】
【０００７】
ところで、患者のカルテ情報や検査結果を示す画像データは、医用情報管理装置や医用画像管理システム（ＰＡＣＳ）で管理され、医師や検査技師または医療従事者などにより、個人情報が記録されるようになっている。
【０００８】
ここで、患者のカルテ情報や検査結果を示す画像データなどの個人情報については、例えば、患者の死亡や患者の引越しなどの理由によりその医用情報管理装置や医用画像管理システム（ＰＡＣＳ）において使用されなくなった患者情報を適切に削除して欲しい、という要望が想定される。
【０００９】
しかしながら現状では、医用情報管理装置や医用画像管理システム（ＰＡＣＳ）をはじめ病院情報システム（ＨＩＳ）から、個人情報である患者情報を適切に削除（消去）する手段がなかった。すなわち、医用情報管理装置や医用画像管理システム（ＰＡＣＳ）または病院情報システム（ＨＩＳ）から患者情報を個別に削除する方法は考えられるが、削除（消去）したい患者情報を一括して確実に削除（消去）する手段は存在しなかった。
【００１０】
そのため、医用情報管理装置や医用画像管理システム（ＰＡＣＳ）または病院情報システム（ＨＩＳ）から、患者情報が適切に削除（消去）されたことを示す証明手段がなく、患者や患者の家族に対して、その患者の患者情報を適切に削除（消去）して欲しいという要望に応えることができなかった。
【課題を解決するための手段】
【００１１】
本実施形態に係る医用情報処理装置は、患者に関する患者情報の消去の依頼を受け付ける消去依頼受付部と、受け付けた消去の依頼に対応する患者情報が記憶されている外部装置の記憶部を検索する患者情報検索部と、患者情報の検索結果に基づいて、受け付けた患者情報が記憶部に登録されていたときには、その記憶部に登録されている患者情報を消去して、その患者情報をその記憶部から仮消去したことを示す仮消去の情報を登録する仮消去登録部と、登録された仮消去の情報に対して、その患者情報がその記憶部から消去されたことを示す承認を受け付ける消去承認受付部と、承認を受け付けた仮消去の情報に対して、その患者情報がその記憶部から正式に消去されたことを示す消去の情報を生成する消去情報生成部と、を備える。
【図面の簡単な説明】
【００１２】
【図１】本実施形態に係る消去証明書発行装置と、その消去証明書発行装置を用いた消去証明書発行システムの概略の構成の一例を示した概略構成図。
【図２】消去証明書発行システムの全体の概略動作を示したシーケンス図。
【図３】本実施形態に係る消去証明書発行装置の機能を示す機能ブロック図。
【図４】本実施形態に係る消去証明書発行装置の構成を示すハードウエアブロック図。
【図５】本実施形態に係る消去証明書発行システムにおいて、消去証明書発行装置が消去証明書の発行を行う消去証明書発行処理を示したフローチャート。
【図６】本実施形態に係る消去情報出力部が、患者についての患者情報が消去されたことを証明する消去証明書を出力した場合の一例を説明する説明図。
【発明を実施するための形態】
【００１３】
以下、本実施形態に係る消去証明書発行装置（医用情報処理装置）１００について、添付図面を参照して説明する。
【００１４】
図１は、本実施形態に係る消去証明書発行装置１００を用いた消去証明書発行システム８００の概略の構成の一例を示した概略構成図である。
【００１５】
図１に示すように、消去証明書発行システム８００は、消去証明書発行装置（医用情報処理装置）１００、モダリティ２００、画像サーバ３００、ワークステーション４００、読影装置５００、予約装置６００、ネットワーク７００などを備えて構成されている。
【００１６】
消去証明書発行装置１００は、患者や患者の家族から患者情報の消去の要求を受け付けて、その患者の患者情報、例えば、ネットワーク７００を介して接続されているモダリティ２００の撮像データや画像サーバ３００に格納されている画像データなどを、消去するようになっている。
【００１７】
ここで、ネットワーク７００を介して消去証明書発行システム８００に接続された消去証明書発行装置１００以外の装置、具体的には、モダリティ２００、画像サーバ３００、ワークステーション４００、読影装置５００、予約装置６００などを外部接続装置ということにする。
【００１８】
すなわち、本実施形態では、患者を担当する医師や検査技師または医療従事者の操作により、消去証明書発行装置１００は、ネットワーク７００を介して、外部接続装置の記憶部に格納されている患者情報を消去するようになっている。消去証明書発行装置１００は、患者情報を消去すると、まずはその患者情報の消去を仮消去として扱い、その後、例えば、異なる医師や異なる検査技師などによって仮消去されたことが承認されると、正式にその患者情報が消去されたと判断する。
【００１９】
なお、本実施形態に係る消去証明書発行装置１００は、消去証明書発行システム８００に接続された外部接続装置の記憶部に記憶された患者情報を消去して消去の証明を行うものであり、原則として、消去証明書発行装置１００に消去に関する情報以外の患者情報を有していないものとする。ここで、例えば、消去証明書発行装置１００に予約装置６００の機能を付加した場合には、消去証明書発行装置１００は、外部接続装置である予約装置６００の記憶部を有することになり、この場合は、予約装置６００の記憶部に記憶された患者情報に該当する患者情報を消去することができるものとする。なお、消去証明書発行装置１００の詳細については後述する。
【００２０】
また、患者情報とは、その患者の氏名、性別、年齢（生年月日）を含む情報であって、さらに他の情報、例えば、検査日、検査部位または検査場所など患者の検査に関する情報や画像データなどを含むものとする。
【００２１】
モダリティ２００は、被検体を撮像するための装置（撮像装置）を分類するときに使用される医用システム名である。例えば、モダリティ２００として、Ｘ線ＣＴ（Computed Tomography）装置、ＭＲＩ（Magnetic Resonance Imaging）装置（磁気共鳴診断装置）、超音波診断装置、核医学診断装置などがある。なお、Ｘ線ＣＴ装置は、放射線などを利用して物体を走査しコンピュータを用いて処理する撮影装置である。ＭＲＩ装置は、磁場と電波を用いて被検体の体内などの画像を撮影する装置である。超音波診断装置は、超音波を被検体に当てて、その反響を映像化する画像診断装置である。核医学診断装置は、被検体に投入された特定の病巣に集積する試薬を、放射性同位体（ラジオアイソトープ：radioisotope）で標識し、その試薬から放射されるγ線をシンチレーションカメラなどの検出器により検出して病巣を含む人体の断層像を抽出する画像診断装置である。本実施形態では、いずれの装置でもモダリティ２００として適用することができる。
【００２２】
画像サーバ３００は、医療用画像管理システム（ＰＡＣＳ：Picture Archiving and Communication System）を構成する画像管理サーバであり、モダリティ２００によって被検体（患者）を撮影することにより得られた画像データを、保管、閲覧、管理するサーバである。
【００２３】
ワークステーション４００は、モダリティ２００によって被検体を撮影することにより得られた画像データや画像サーバ３００に格納されている画像データに対して、コンピュータ処理を施すことによって３次元表示の映像化を図ったり、定量解析を行う装置である。
【００２４】
読影装置５００は、モダリティ２００によって被検体を撮影することにより得られた画像データや画像サーバ３００に格納されている画像データに対して、読影医師が読影して所見を作成したり、作成された所見によりレポートの作成を行う装置である。
【００２５】
予約装置６００は、モダリティ２００を用いて被検体（患者）を撮影するための検査予約を入力したり、検査予約の日程や内容の変更を入力する装置である。
【００２６】
ネットワーク７００は、消去証明書発行システム８００に接続されている各端末や装置を、相互に接続するためのネットワークである。
【００２７】
（全体の概略動作）
図２は、消去証明書発行システム８００の全体の概略動作を示したシーケンス図である。図２において、Ｓに数字を付した符号は、シーケンス図の各ステップを示している。
【００２８】
消去証明書発行装置１００は、患者や患者の家族から患者情報の消去依頼を受け付けると、ネットワーク７００を介して、消去証明書発行システム８００に記憶されている患者情報を検索する。例えば、医師が消去証明書発行装置１００に患者情報の消去依頼を入力すると、消去証明書発行装置１００は、モダリティ２００の記憶部に、その患者の撮像データが記憶されているか否か検索（患者情報検索）を行う（ステップＳ００１）。
【００２９】
また、消去証明書発行装置１００は、医師から患者情報の消去依頼が入力されると、ネットワーク７００を介して画像サーバ３００の記憶部に、その患者の画像データが記憶されているか否か検索（患者情報検索）を行う（ステップＳ００３）。
【００３０】
また、消去証明書発行装置１００は、医師から患者情報の消去依頼が入力されると、ネットワーク７００を介してワークステーション４００の記憶部に、コンピュータ処理がされたその患者の画像データが記憶されているか否か検索（患者情報検索）を行う（ステップＳ００５）。
【００３１】
また、消去証明書発行装置１００は、医師から患者情報の消去依頼が入力されると、ネットワーク７００を介して読影装置５００の記憶部に、その患者の所見やレポートが記憶されているか否か検索（患者情報検索）を行う（ステップＳ００７）。
【００３２】
また、消去証明書発行装置１００は、医師から患者情報の消去依頼が入力されると、ネットワーク７００を介して、予約装置６００の記憶部に、その患者の検査予約や検査内容が記憶されているか否か検索（患者情報検索）を行う（ステップＳ００９）。
【００３３】
モダリティ２００は、モダリティ２００の記憶部にその患者の撮像データを記憶していた場合には、その撮像データを消去するとともに、消去したことを示す仮消去通知を消去証明書発行装置１００に送信する（ステップＳ０１１）。
【００３４】
同様に、画像サーバ３００は、画像サーバ３００の記憶部にその患者の画像データを記憶していた場合には、その画像データを消去するとともに、消去したことを示す仮消去通知を消去証明書発行装置１００に送信する（ステップＳ０１３）。
【００３５】
同様に、ワークステーション４００は、ワークステーション４００の記憶部にその患者の画像データを記憶していた場合には、その画像データを消去するとともに、消去したことを示す仮消去通知を消去証明書発行装置１００に送信する（ステップＳ０１５）。
【００３６】
同様に、読影装置５００は、読影装置５００の記憶部にその患者の所見やレポートを記憶していた場合には、その画像データや所見を消去するとともに、消去したことを示す仮消去通知を消去証明書発行装置１００に送信する（ステップＳ０１７）。
【００３７】
同様に、予約装置６００は、予約装置６００の記憶部にその患者の検査予約や検査内容を記憶していた場合には、その検査予約や検査内容を消去するとともに、消去したことを示す仮消去通知を消去証明書発行装置１００に送信する（ステップＳ０１９）。
【００３８】
消去証明書発行装置１００は、受信した各仮消去通知に基づいて、患者情報の消去登録処理を行うようになっている（ステップＳ０２１）。具体的には、消去証明書発行装置１００は、モダリティ２００、画像サーバ３００、ワークステーション４００、読影装置５００および予約装置６００から各仮消去通知を受信し、各仮消去通知に対して、各記憶部から消去されたことを示す承認を、消去依頼を行った医師とは異なる医師や検査技師から受け付ける。そして、消去証明書発行装置１００は、各記憶部から正式に消去されたことを示す消去の情報を生成するようになっている。
【００３９】
次に、本実施形態に係る消去証明書発行装置１００の構成について、詳細に説明する。
【００４０】
図３は、本実施形態に係る消去証明書発行装置１００の機能を示す機能ブロック図である。
【００４１】
図３に示すように、消去証明書発行装置１００は、消去依頼受付部１１０、患者情報検索部１２０、仮消去登録部１３０、消去承認受付部１４０、消去情報生成部１５０、消去情報出力部１６０、履歴情報データベース１７０、仮消去証明書データベース１７１、消去証明書データベース１７２などを備えて構成されている。
【００４２】
消去依頼受付部１１０は、患者に関する患者情報の消去の依頼を受け付けるようになっている。具体的には、患者を担当する担当医師や医療従事者などにより、患者情報の消去の依頼を受け付けるようになっている。
【００４３】
患者情報検索部１２０は、受け付けた消去の依頼に対応する患者情報が記憶されている外部接続装置の記憶部を検索（患者情報検索）するようになっている。具体的には、患者情報検索部１２０は、ネットワーク７００を介して、モダリティ２００、画像サーバ３００、ワークステーション４００、読影装置５００、予約装置６００などの各記憶部に、消去依頼に対応する患者情報が記憶されているか検索するようになっている。
【００４４】
また、消去証明書発行装置１００は、履歴情報データベース１７０を備えている。履歴情報データベース１７０は、患者情報が外部機器に出力されたとき、その患者情報がその外部機器に出力されたことを示す履歴情報を格納するようになっている。ここで、外部機器とは、ＤＶＤ（Digital Versatile Disc）やＵＳＢ（Universal Serial Bus）などの記憶媒体のことである。例えば、ワークステーション４００に格納されていた画像データをＤＶＤに記憶させたり、読影装置５００に記憶されていた所見やレポートをＵＳＢに記憶させた場合、それらの履歴を所定のタイミングで取得して、履歴情報データベース１７０に履歴情報として格納するようになっている。
【００４５】
患者情報検索部１２０は、受け付けた消去の依頼に対応する患者情報を履歴情報データベース１７０から検索し、その患者情報に対応する履歴が検索された場合は、その患者情報に関して、例えば、ワークステーション４００に格納されていた画像データをＤＶＤに記憶させた履歴情報を表示部に表示させたり、読影装置５００に記憶されていた所見やレポートをＵＳＢに記憶させた履歴情報を表示部に表示させることができる。なお、履歴情報データベース１７０は、記憶メモリを構成するものであればよく、ネットワーク７００を介して、装置ごとの履歴情報を取得して、その装置ごとの履歴情報を格納することができればよい。また、履歴情報データベース１７０は、必須の構成要素ではなく、所望により消去証明書発行装置１００に設けることができる。
【００４６】
仮消去登録部１３０は、患者情報の検索結果に基づいて、受け付けた患者情報がいずれかの外部接続装置の記憶部に記憶されていたときには、その記憶部に記憶されている患者情報を消去して、その患者情報をその記憶部から仮消去したことを示す仮消去証明書（仮消去の情報）を登録するようになっている。
【００４７】
具体的には、仮消去登録部１３０は、ネットワーク７００を介して、外部接続装置から患者情報の検索結果を取得して、患者情報がいずれかの外部接続装置の記憶部に記憶されている場合に、その記憶部に記憶されている患者情報を消去させる消去プログラムをその装置に送信する。そして、その外部接続装置の記憶部において患者情報が消去されると、その外部接続装置から仮消去登録部１３０に仮消去通知が送信される。これにより、仮消去登録部１３０は、仮消去証明書（仮消去の情報）を仮消去証明書データベース１７１に登録するようになっている。
【００４８】
また、本実施形態はこれに限定されるものではなく、例えば、患者情報検索部１２０が、受け付けた患者情報に該当する個人情報（例えば、撮像データ、画像データまたはレポートなど）を消去する消去プログラムを一斉に送信するようにしてもよい。この場合は、その消去プログラムが患者情報に該当する個人情報を消去すると、仮消去通知を示す応答が、消去証明書発行装置１００に返信される。これにより、仮消去登録部１３０は、仮消去証明書を仮消去証明書データベース１７１に登録することができる。
【００４９】
仮消去証明書データベース１７１は、仮消去通知に対応する仮消去証明書を格納するようになっている。
【００５０】
消去承認受付部１４０は、登録された仮消去証明書に対して、その患者情報がその記憶部から消去されたことを示す承認を受け付けるようになっている。具体的には、消去承認受付部１４０は、患者情報の消去の依頼を行った医師とは異なる医師や複数の異なる医療従事者から、その記憶部から患者情報が消去されたことを確認したことを意味する承認を受け付けるようになっている。なお、この承認では、少なくとも患者情報の消去の依頼を行った医師とは異なる医師や、患者情報の消去の依頼を行った医療従事者とは異なる医療従事者のうち少なくとも一人が承認すればよく、承認として必要な数は限定されるものではない。したがって、消去承認受付部１４０は、複数の異なる承認を受け付けるように設定することもできる。
【００５１】
消去情報生成部１５０は、承認を受け付けた仮消去証明書（仮消去の情報）に対して、その患者情報がその記憶部から正式に消去されたことを示す消去証明書（消去の情報）を生成するようになっている。具体的には、消去情報生成部１５０は、消去承認受付部１４０において、仮消去証明書データベース１７１に格納された仮消去証明書に対して所定の承認を受け付けた場合に、正式にその患者情報が消去されたことを示す消去証明書を生成する。そして、消去情報生成部１５０は、生成した消去証明書を消去証明書データベース１７２に格納するようになっている。
【００５２】
消去情報出力部１６０は、生成された消去証明書（消去の情報）を表示可能に出力するようになっている。具体的には、消去依頼受付部１１０において患者情報の消去の依頼を受け付け、その患者情報に関連付けられた消去証明書が生成されると、消去情報出力部１６０は、生成されたその消去証明書を出力するようになっている。
【００５３】
なお、消去情報出力部１６０は、消去証明書を消去証明書発行装置１００の表示部に表示する形態であってもよく、また、証明書として紙媒体によって印刷（発行）してもよく、また、ＰＤＦ（Portable Document Format）として電子データにより患者の家族に送信する形態であってもよい。また、消去情報出力部１６０は、消去証明書の内容を音声情報によって出力する形態であってもよい。
【００５４】
消去証明書データベース１７２は、消去情報生成部１５０において生成された消去証明書（消去の情報）を格納するようになっている。
【００５５】
次に、本実施形態に係る消去証明書発行装置１００のハードウエアの構成について説明する。
【００５６】
図４は、本実施形態に係る消去証明書発行装置１００の構成を示すハードウエアブロック図である。
【００５７】
図４に示すように、消去証明書発行装置１００は、ＣＰＵ（Central Processing Unit）１８１、ＲＯＭ（Read Only Memory）１８２、ＲＡＭ（Random Access Memory）１８３、ネットワークインターフェース部１８４、操作部１８５、表示部１８６、記憶部１８７、内部バス１８８などを備えて構成されている。
【００５８】
ＣＰＵ１８１は、ＲＯＭ１８２に格納されている各種プログラムをＲＡＭ１８３にロードして、そのプログラムを展開することにより、各種プログラムの機能を実現することできるようになっている。ＲＡＭ１８３は、ワークエリア（作業用メモリ）として利用されるようになっている。ＲＯＭ１８２は、各種プログラムを格納するようになっている。ＲＯＭ１８２に格納されている各種プログラムには、図３で示した消去証明書発行装置１００の各機能を実現するためのプログラムが含まれる。
【００５９】
ネットワークインターフェース部１８４は、ネットワーク７００（図１）を介して、消去証明書発行装置１００から、モダリティ２００、画像サーバ３００、またはワークステーション４００などの外部接続装置の記憶部に患者情報の検索を行ったり、モダリティ２００、画像サーバ３００、またはワークステーション４００などの外部接続装置から、仮消去通知を受信するためのインターフェース部である。
【００６０】
操作部１８５は、消去証明書発行装置１００の各データベースに格納されている仮消去証明者や消去証明書の表示操作を行ったり、プログラムの入力、編集、登録などを行う入力装置などにより構成されている。具体的には、操作部１８５は、キーボードやマウスなどにより構成されている。
【００６１】
表示部１８６は、消去依頼を受け付けた患者情報を表示したり、承認を受け付ける患者情報または消去証明書などを表示する表示部として構成されている。この表示部１８６は、液晶ディスプレイやモニタなどにより構成されている。
【００６２】
記憶部１８７は、記憶メモリを構成する記憶部であり、ＲＡＭやハードディスクなどによって構成されている。本実施形態では、記憶部１８７は、例えば、患者情報を外部に出力した履歴情報を格納する履歴情報データベース１７０や仮消去通知の患者情報を格納する仮消去証明書データベース１７１、または、消去証明書を格納する消去証明書データベース１７２を構成するようになっている。
【００６３】
このように、本実施形態では、記憶部１８７は、履歴情報データベース１７０、仮消去証明書データベース１７１、および消去証明書データベース１７２を構成し、また、ＲＯＭ１８２に格納されているプログラムを実行することにより、図３に示した消去証明書発行装置１００の各機能を実現することができるようになっている。
【００６４】
（消去証明書発行処理）
次に、本実施形態に係る消去証明書発行装置１００の消去証明書発行処理の動作について説明する。
【００６５】
図５は、本実施形態に係る消去証明書発行システム８００において、消去証明書発行装置１００が消去証明書の発行を行う消去証明書発行処理を示したフローチャートである。図５において、Ｓに数字を付した符号は、フローチャートの各ステップを示している。なお、この消去証明書発行処理は、図２のステップＳ０２１で示した消去証明書発行装置１００が行う消去登録処理を含んでいる。
【００６６】
まず、ステップＳ１０１では、医師や医療従事者がキーボードやマウスなどの操作部１８５を介して患者情報の消去の依頼を行うことにより、消去依頼受付部１１０は、患者に関する患者情報の消去の依頼を受け付ける。
【００６７】
ステップＳ１０３では、患者情報検索部１２０が、消去依頼受付部１１０で受け付けた消去の依頼に対応する患者情報が記憶されている外部接続装置の記憶部を検索する（患者情報検索）。具体的には、患者情報検索部１２０は、ネットワーク７００を介して、モダリティ２００、画像サーバ３００、ワークステーション４００、読影装置５００、予約装置６００などの外部接続装置の記憶部に、消去依頼に対応する患者情報が記憶されているか検索する。
【００６８】
また、本実施形態に係る消去証明書発行装置１００は、履歴情報データベース１７０を備えている。履歴情報データベース１７０は、患者情報が外部機器に出力されたとき、その患者情報がその外部機器に出力されたことを示す履歴情報を格納している。具体的には、ワークステーション４００に格納されていた画像データをＤＶＤに記憶させたり、読影装置５００に記憶されていた所見をＵＳＢに記憶させた場合に、それらの履歴を示す履歴情報を所定のタイミングで取得して履歴情報データベース１７０に格納している。
【００６９】
これにより、患者情報検索部１２０は、受け付けた消去の依頼に対応する患者情報を履歴情報データベース１７０から検索し、その患者情報に対応する履歴が検索された場合は、対応するその履歴情報を消去情報出力部１６０により表示させることができる。
【００７０】
ステップＳ１０５では、仮消去登録部１３０が、患者情報の検索結果に基づいて、受け付けた患者情報がいずれかの外部接続装置の記憶部に記憶されていたときには、その記憶部に記憶されている患者情報を消去して、その患者情報をその記憶部から仮消去したことを示す仮消去証明書を登録する。
【００７１】
例えば、仮消去登録部１３０は、ネットワーク７００を介して外部接続装置から患者情報の検索結果を取得して、患者情報がいずれかの外部接続装置の記憶部に記憶されている場合に、その記憶部に記憶されている患者情報を消去させる消去プログラムをその装置に送信する。そして、その外部接続装置の記憶部において患者情報が消去されると、その外部接続装置から仮消去登録部１３０に仮消去通知が送信され、仮消去登録部１３０は、その外部接続装置から仮消去通知を受信する。これにより、仮消去登録部１３０は、仮消去証明書（仮消去の情報）を仮消去証明書データベース１７１に登録する。
【００７２】
また、前述したように、患者情報検索部１２０が患者情報に該当する個人情報を消去する消去プログラムを一斉に送信して、その消去プログラムが患者情報に該当する個人情報を消去すると、仮消去通知を示す応答を消去証明書発行装置１００に返信するようにしてもよい。これにより、仮消去登録部１３０は、仮消去証明書（仮消去の情報）を登録することができる。
【００７３】
ステップＳ１０７では、消去承認受付部１４０が、登録された仮消去証明書に対して、その患者情報がその記憶部から消去されたことを示す承認を受け付ける。具体的には、消去承認受付部１４０は、患者情報の消去の依頼を行った医師とは異なる医師や、患者情報の消去の依頼を行った医療従事者とは異なる医療従事者から、患者情報がその外部接続装置の記憶部から消去されたことを確認したことを意味する承認を受け付ける。
【００７４】
例えば、消去承認受付部１４０は、仮消去証明書データベース１７１に格納されている仮消去証明書を表示部１８６に表示させ、モダリティ２００や画像サーバ３００の記憶部に記憶されていた患者情報（撮像データや画像データなど）が、ネットワーク７００を介して消去されたことを確認させることができる。なお、本実施形態に係る消去承認受付部１４０では、仮消去証明書に対して承認を受け付けることができるようになっているが、仮消去証明書を表示部１８６に表示させる形態に限定されるものではない。具体的には、消去承認受付部１４０は、承認を行う承認者に対して、ネットワーク７００を介してその外部接続装置の記憶部からすでに患者情報（撮像データや画像データなど）が消去されている状態を、直接確認させるようにしてもよい。
【００７５】
なお、この承認では、少なくとも患者情報の消去の依頼を行った医師とは異なる医師や、患者情報の消去の依頼を行った医療従事者とは異なる医療従事者のうち少なくとも一人が承認すればよく、承認として必要な数は限定されるものではない。したがって、消去承認受付部１４０は、１つの仮消去証明書に対し、複数の異なる承認を受け付けるように別途設定することもできる。
【００７６】
ステップＳ１０９では、消去情報生成部１５０が、承認を受け付けた仮消去証明書（仮消去の情報）に対して、その患者情報がその記憶部から正式に消去されたことを示す消去証明書（消去の情報）を生成する。具体的には、消去情報生成部１５０は、消去承認受付部１４０において、仮消去証明書に対して所定の承認を受け付けた場合に、正式にその患者情報が消去されたことを示す消去証明書を生成する。そして、消去情報生成部１５０は、生成した消去証明書を消去証明書データベース１７２に格納する。
【００７７】
ステップＳ１１１では、消去情報出力部１６０が、生成された消去証明書を表示可能に出力する。具体的には、消去情報生成部１５０は、消去依頼受付部１１０において患者情報の消去の依頼を受け付け、その患者情報に関連付けられた消去証明書が生成されると、その消去証明書を消去情報出力部１６０に出力させる。
【００７８】
例えば、消去証明書発行装置１００は、消去情報出力部１６０に消去証明書を表示させてその消去証明書を印刷（発行）したり、文書ファイルとして患者の家族に消去証明書を送信することにより、消去証明書発行システム８００において患者情報が消去されたことを示す消去証明書を、患者の家族などに送付することができる。
【００７９】
図６は、本実施形態に係る消去情報出力部１６０が、患者Ａについての患者情報が消去されたことを証明する消去証明書を出力した場合の一例を説明する説明図である。
【００８０】
図６に示すように、消去情報出力部１６０は、消去証明書発行装置１００の表示部１８６に消去証明書を表示させることができる。この場合、この消去証明書には、患者名として、Ａが記載されており、また、消去日には、平成２４年１０月１０日が記載されている。また、患者Ａを担当した医師として、担当者の項目には医師Ｂの名前が記載されている。
【００８１】
また、患者Ａの患者情報が消去されたことを承認した承認者として、検査技師Ｃの名前が記載されている。また、その承認の状況として、消去完了の旨が記載されている。
【００８２】
ここで、消去証明書の最下欄には備考の欄が設けられている。この備考の欄には、付記的事項（参考情報）として、消去に関する情報を記載することができる。例えば、患者情報検索部１２０が、履歴情報データベース１７０に格納された履歴情報を検索し、ワークステーション４００や読影装置５００に記憶されていた画像データがＤＶＤやＵＳＢなどに格納（出力）された履歴が記録されていれば、その内容を記載するようになっている。なお、この備考の欄に記載された履歴は、消去証明書の記載として必須の要素ではなく、患者情報検索部１２０が、消去情報出力部１６０を介して、履歴情報として独立して出力（表示）させることもできる。
【００８３】
また、消去情報出力部１６０は、消去証明書を消去証明書発行装置１００の表示部１８６に表示する形態に限定されるものではなく、例えば、消去証明書の内容を音声情報によって出力する形態であってもよい。
【００８４】
この場合、例えば、消去情報生成部１５０が正式に消去されたことを示す消去の情報を音声情報にて生成することにより、消去情報出力部１６０が「患者Ａ様の患者情報は正式に消去されました。」と音声にて出力することができる。
【００８５】
これにより、承認を行った医師や医療従事者は、聴覚的に正式に消去された事実を確認することができる。また、患者情報の消去依頼について患者の家族が立ち会った場合には、消去の情報を音声情報にて生成することにより患者の家族や承認者を含めて一斉同時に証明を行うことができる。
【００８６】
以上説明したように、本実施形態に係る消去証明書発行システム８００では、消去証明書発行装置１００は、モダリティ２００や画像サーバ３００などの外部接続装置の記憶部に記憶されている患者情報を検索し、それらの外部接続装置の記憶部に患者情報が記憶されている場合には、その患者情報を消去させる。消去証明書発行装置１００は、患者情報を消去したことを示す仮消去通知を受信すると、仮消去登録を行い、患者情報の消去依頼を行った医師とは異なる者（医師や医療従事者）の承認を受け付ける。消去証明書発行装置１００は、所定の承認を受け付けると、その患者情報が正式に消去されたことを示す消去の情報を生成して、消去証明書などを出力する。
【００８７】
これにより、本実施形態に係る消去証明書発行装置１００は、ネットワーク７００を介して、消去証明書発行システム８００に接続された外部接続装置の記憶部に記憶された患者情報を消去することができるので、患者や患者の家族などに対して、患者の患者情報を適切に消去したことを示す消去証明書などを出力することができる。
【００８８】
このように、消去証明書発行装置１００によれば、従来から期待されていた患者情報を適切に消去して欲しいという要望に応えるとともに、患者情報を適切に消去したことを示す消去証明書などを出力することができる。
【００８９】
なお、本実施形態に係る消去証明書発行装置１００は、消去依頼受付部１１０において患者情報の消去依頼を受け付けると患者情報を消去するようになっていたが、これに限定されるものではない。具体的には、同一の患者に関する患者情報の消去依頼について２回目の消去依頼を受け付けた場合であって、その患者情報が消去証明書データベース１７２に登録されている場合には、その患者情報はもうすでに正式に消去されているものとして、その患者情報に関する消去証明書を出力するようにしてもよい。
【００９０】
また、同一の患者に関する患者情報の消去依頼について２回目の消去依頼を受け付けた場合でも、ステップＳ１０１からステップＳ１１１に示した処理を再度実行するようにしてもよい。この場合、例えば、ある画像サーバ３００において、画像データがリストアされた場合などにより予期せぬ患者情報が復元される場合も想定されるので、同一の患者に関する消去依頼があった場合には、消去証明書発行装置１００は、その都度、消去証明書発行処理を、ステップＳ１０１から実行するようにしてもよい。
【００９１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【００９２】
また、本発明の実施形態では、フローチャートの各ステップは、記載された順序に沿って時系列的に行われる処理の例を示したが、必ずしも時系列的に処理されなくとも、並列的あるいは個別実行される処理をも含むものである。
【符号の説明】
【００９３】
１００  消去証明書発行装置
１１０  消去依頼受付部
１２０  患者情報検索部
１３０  仮消去登録部
１４０  消去承認受付部
１５０  消去情報生成部
１６０  消去情報出力部
１７０  履歴情報データベース
１７１  仮消去証明書データベース
１７２  消去証明書データベース
１８１  ＣＰＵ
１８２  ＲＯＭ
１８３  ＲＡＭ
１８４  ネットワークインターフェース部
１８５  操作部
１８６  表示部
１８７  記憶部
１８８  内部バス
２００  モダリティ
３００  画像サーバ
４００  ワークステーション
５００  読影装置
６００  予約装置
７００  ネットワーク
８００  消去証明書発行システム
【図１】
2014106783.tif 000003
【図２】
2014106783.tif 000004
【図３】
2014106783.tif 000005
【図４】
2014106783.tif 000006
【図５】
2014106783.tif 000007
【図６】
2014106783.tif 000008